(57)【特許請求の範囲】
【請求項１】
人体局部を洗浄する温水を貯湯する温水タンクと、前記温水タンク内を温める温水ヒータと、前記温水タンク内の水温を検出する温度検出手段と、前記温水ヒータの熱を前記温度検出手段に熱伝導させる熱伝導手段と、前記温度検出手段の検出温度をもとに前記温水ヒータを制御する制御手段からなり、前記制御手段は、所定の時間、前記温水ヒータへの通電開始時の前記温水ヒータへの通電率を１００％より低くし、前記温度検出手段の温水ヒータ通電開始時の検出値に応じて、前記通電率を可変とすることを特徴とした衛生洗浄装置。
【請求項２】
人体局部を洗浄する温水を貯湯する温水タンクと、前記温水タンク内を温める温水ヒータと、前記温水タンク内の水温を検出する温度検出手段と、前記温水ヒータの熱を前記温度検出手段に熱伝導させる熱伝導手段と、前記温度検出手段の検出温度をもとに前記温水ヒータを制御する制御手段からなり、前記制御手段は、所定の時間、前記温水ヒータへの通電開始時の前記温水ヒータへの通電率を１００％より低くし、前記温度検出手段の温水ヒータ通電開始時の検出値に応じて、前記所定の時間を可変とすることを特徴とした衛生洗浄装置。
【請求項３】
人体局部を洗浄する温水を貯湯する温水タンクと、前記温水タンク内を温める温水ヒータと、前記温水タンク内の水温を検出する温度検出手段と、前記温水ヒータの熱を前記温度検出手段に熱伝導させる熱伝導手段と、衛生洗浄装置周囲の温度を検出する室温検出手段と、前記温度検出手段と室温検出手段の検出温度をもとに前記温水ヒータを制御する制御手段からなり、前記制御手段は、所定の時間、前記温水ヒータへの通電開始時の前記温水ヒータへの通電率を１００％より低くし、前記室温検出手段の温水ヒータ通電開始時の検出値に応じて、前記通電率を可変とすることを特徴とした衛生洗浄装置。
【請求項４】
人体局部を洗浄する温水を貯湯する温水タンクと、前記温水タンク内を温める温水ヒータと、前記温水タンク内の水温を検出する温度検出手段と、前記温水ヒータの熱を前記温度検出手段に熱伝導させる熱伝導手段と、衛生洗浄装置周囲の温度を検出する室温検出手段と、前記温度検出手段と室温検出手段の検出温度をもとに前記温水ヒータを制御する制御手段からなり、前記制御手段は、所定の時間、前記温水ヒータへの通電開始時の前記温水ヒータへの通電率を１００％より低くし、前記室温検出手段の温水ヒータ通電開始時の検出値に応じて、前記所定の時間を可変とすることを特徴とした衛生洗浄装置。
【発明の詳細な説明】
【０００１】
【発明の属する技術分野】
本発明は、衛生洗浄装置の温水タンク、とりわけ空焚き検知の制御手段に関するものである。
【０００２】
【従来の技術】
従来、この種の衛生洗浄装置の温水タンク空焚き検知手段としては、温水タンク内の水位を検出し温水ヒータへの通電の有無を判定するものが知られている。
【０００３】
例えば、図１７に示すように、温水タンク１内の水温を温度検出手段２で検出し、所定の設定温度になるように制御手段３は、温水ヒータ４を制御している。また、設定温度に速やかになるように、設定温度近傍まで温水ヒータ４へ通電を続ける。なお、空焚き検知手段として、温水タンク１内の水位が所定の値以下であれば温水ヒータ４への通電を停止させるフロートスイッチ５を設けている。このフロートスイッチ５にはフロート６が設けられており、フロート６の位置で水位を検出している。
【０００４】
【発明が解決しようとする課題】
しかしながら、前記従来の構成では、温水タンクユニット自体を傾ければフロートスイッチ５が温水タンク１内が空水の場合においても満水であると誤検知し、制御手段３は温水ヒータ４への通電を開始する。温度検出手段２は雰囲気温度しか検知していないために、その雰囲気温度が温水タンク１内水温設定温度になるまで温水ヒータ４への通電は継続する。その間に温水ヒータ４の表面温度は異常上昇し、その熱により温水タンクユニットが焼損するという課題を有していた。  本発明は、前記従来の課題を解決するもので、いかなる状況下でも確実に焼損を起こさない衛生洗浄装置を提供することを目的とする。
【０００５】
【課題を解決するための手段】
前記従来の課題を解決するために、本発明の衛生洗浄装置は、人体局部を洗浄する温水を貯湯する温水タンクと、前記温水タンク内を温める温水ヒータと、前記温水タンク内の水温を検出する温度検出手段と、前記温水ヒータの熱を前記温度検出手段に熱伝導させる熱伝導手段と、前記温度検出手段の検出温度をもとに前記温水ヒータを制御する制御手段からなり、制御手段は、所定の時間、温水ヒータへの通電開始時の温水ヒータへの通電率を１００％より低くするものである。
【０００６】
これにより、いかなる状態、状況下で温水タンク内が空水であったとしても、温水ヒータの熱を熱伝導手段を介して温度検出手段に伝えられるため、確実に温水ヒータへの通電を遮断することができ、所定の時間、温水ヒータへの通電率を１００％より低くすることで、温水ヒータの表面温度を下げられるため、温水ヒータの輻射熱による温水タンク内部及びその周辺部材の損傷を防止することができる。
【０００７】
【発明の実施の形態】
請求項１に記載の発明は、人体局部を洗浄する温水を貯湯する温水タンクと、温水タンク内を温める温水ヒータと、温水タンク内の水温を検出する温度検出手段と、温水ヒータの熱を温度検出手段に熱伝導させる熱伝導手段と、温度検出手段の検出温度をもとに温水ヒータを制御する制御手段からなり、制御手段は、所定の時間、温水ヒータへの通電開始時の温水ヒータへの通電率を１００％より低くし、前記温度検出手段の温水ヒータ通電開始時の検出値に応じて、前記通電率を可変とすることにより、制御手段において、いかなる状態、状況下においても確実に温水タンク内の空焚きが検出でき、不必要に低い通電率で温水ヒータの通電を行うことなく温水の沸き上げ時間を短縮することができる。あるいは、温水タンク内部及びその周辺部材への熱的ストレスを抑制し、故障もしくは損傷を防止することができる。
【０００８】
請求項２に記載の発明は、人体局部を洗浄する温水を貯湯する温水タンクと、前記温水タンク内を温める温水ヒータと、前記温水タンク内の水温を検出する温度検出手段と、前記温水ヒータの熱を前記温度検出手段に熱伝導させる熱伝導手段と、前記温度検出手段の検出温度をもとに前記温水ヒータを制御する制御手段からなり、前記制御手段は、所定の時間、前記温水ヒータへの通電開始時の前記温水ヒータへの通電率を１００％より低くし、前記温度検出手段の温水ヒータ通電開始時の検出値に応じて、前記所定の時間を可変とすることにより、制御手段において、いかなる状態、状況下においても確実に温水タンク内の空焚きが検出でき、不必要に低い通電率で温水ヒータの通電を行うことなく温水の沸き上げ時間を短縮することができる。あるいは、温水タンク内部及びその周辺部材への熱的ストレスを抑制し、故障もしくは損傷を防止することができる。
【０００９】
請求項３に記載の発明は、人体局部を洗浄する温水を貯湯する温水タンクと、前記温水タンク内を温める温水ヒータと、前記温水タンク内の水温を検出する温度検出手段と、前記温水ヒータの熱を前記温度検出手段に熱伝導させる熱伝導手段と、衛生洗浄装置周囲の温度を検出する室温検出手段と、前記温度検出手段と室温検出手段の検出温度をもとに前記温水ヒータを制御する制御手段からなり、前記制御手段は、所定の時間、前記温水ヒータへの通電開始時の前記温水ヒータへの通電率を１００％より低くし、前記室温検出手段の温水ヒータ通電開始時の検出値に応じて、前記通電率を可変とすることにより、制御手段において、いかなる状態、状況下においても確実に温水タンク内の空焚きが検出でき、不必要に低い通電率で温水ヒータの通電を行うことなく温水の沸き上げ時間を短縮することができる。あるいは、温水タンク内部及びその周辺部材への熱的ストレスを抑制し、故障もしくは損傷を防止することができる。
【００１０】
請求項４に記載の発明は、人体局部を洗浄する温水を貯湯する温水タンクと、前記温水タンク内を温める温水ヒータと、前記温水タンク内の水温を検出する温度検出手段と、前記温水ヒータの熱を前記温度検出手段に熱伝導させる熱伝導手段と、衛生洗浄装置周囲の温度を検出する室温検出手段と、前記温度検出手段と室温検出手段の検出温度をもとに前記温水ヒータを制御する制御手段からなり、前記制御手段は、所定の時間、前記温水ヒータへの通電開始時の前記温水ヒータへの通電率を１００％より低くし、前記室温検出手段の温水ヒータ通電開始時の検出値に応じて、前記所定の時間を可変とすることにより、制御手段において、いかなる状態、状況下においても確実に温水タンク内の空焚きが検出でき、不必要に低い通電率で温水ヒータの通電を行うことなく温水の沸き上げ時間を短縮することができる。あるいは、温水タンク内部及びその周辺部材への熱的ストレスを抑制し、故障もしくは損傷を防止することができる。
【００１１】
【実施例】
以下本発明の実施例について、図面を参照しながら説明する。
【００１２】
（実施例１）
図１は、本発明の実施例１における衛生洗浄装置のブロック図を示すものである。図２は、本発明の実施例１における衛生洗浄装置の温水タンクユニットの部分断面図である。
【００１３】
図１、図２において、１は人体局部の洗浄を行うための洗浄水を貯湯するための温水タンク、２は前記温水タンク内の温水温度を検出するための温度検出手段、４は温水タンク内に配置してある温水ヒータであり、３は温度検出手段２で検出された温水温度に基づき、温水ヒータ３への通電を制御するための制御手段である。ここで、温水ヒータ４の熱の一部は熱伝導手段７を介して温度検出手段２に伝導させる構成となっており、制御手段３は、所定の時間、温水ヒータ４への通電開始時の温水ヒータ４への通電率を１００％より低く制御する構成となっている。
【００１４】
尚、本実施例では、温度検出手段２と温水ヒータ４と熱伝導手段７の３部品は温水タンク１内で接触しあっている構成であるが、熱伝導手段７の形状によっては、温水ヒータ４の熱を、温水タンク１外部に設けた熱伝導手段（図示せず）を介して、温度検出手段２に熱伝導させることも可能である。また、熱伝導手段７なしで直接温水ヒータ４と温度検出手段２とを接触させ、熱伝導させる手段も考えられる。
【００１５】
また、本実施例では、制御手段３において、温水ヒータ４への通電開始時の温水ヒータ４への通電率と、通常制御の通電率との２段階で制御するものであるが、温水ヒータ４への通電開始時の温水ヒータ４への通電率は必ずしも一定である必要はなく複数の異なる通電率を組み合わせて制御することも可能である。また、線形・非線形に限らず時々刻々変化させて制御することも考えられ、同等の効果が得られる。
【００１６】
以上のように構成された衛生洗浄装置について、以下その動作、作用を説明する。
【００１７】
制御手段３は、温水タンク１内の水温を温度検出手段２で検出し、所定の設定温度になるよう、温水ヒータ４を制御する。水が温水タンク１内に入っている時は、温水ヒータ４からの熱は温度検出手段２まで伝わる前に、熱伝導手段７から水中に放熱されるため、温度検出手段２は実際の水温のみを検知することとなる。
【００１８】
一方、温水タンク１内の水が抜け、温水タンク１内が空になった場合には、温水ヒータ４からの熱は熱伝導手段７を介して温度検出手段２まで直に伝わるので、温度検出手段２により、即座に高温であると検出でき、制御手段３は温水ヒータ４への通電を遮断する。従って、温水タンク１内が空の状態で衛生洗浄装置本体を傾けて持ったりしたとしても、温水ヒータ４の熱は温度検出手段２まで伝わる構成のため、温度検出手段２が高温となり、制御手段３は温水ヒータ４への通電を遮断するため、温水タンク１が焼損することはない。
【００１９】
次に、図３に温水タンク内が空の時に通電率が１００％より低い通電を行う場合、図４に常に１００％で通電し続けた場合の温水ヒータ表面温度と時間の関係を示す。図３及び図４から、温水タンク１内が空の時に、温水ヒータ４をして１００％で通電した場合には、１００％より低い通電を行う場合に比べ温水ヒータ４の表面温度はより高温となることがわかる。即ち、温水温度と温水ヒータの表面温度の差は通電率に比例して増大する傾向があるため、温水ヒータの通電率を１００％より低くすることにより、温水タンク１内部及び周辺部材に温度的ストレスが加わるのを軽減でき、寿命が短くなったり、故障するといった不具合を防止できる。
【００２０】
従って、本発明によると、制御手段３において、所定の時間、温水ヒータ４への通電開始時の温水ヒータ４への通電率を１００％より低くすることで、いかなる状態、状況下で温水タンク１内が空であったとしても、温水ヒータ４の熱を熱伝導手段７を介して温度検出手段２に伝えられるため、確実に温水ヒータ４への通電を遮断することが可能となり、通電率を１００とする場合に比べ温水ヒータ４の表面温度を下げられるため、温水ヒータ４の輻射熱による温水タンク１内部及びその周辺部材の損傷を防止することができる。
【００２１】
（実施例２）
次に、本発明の実施例２について図５、６を用いて説明を行う。実施例２において、実施例１と異なる点は、制御手段３を、温水ヒータ４通電開始時の温度検出手段２の検出値に応じて、温水ヒータ４への通電開始時の温水ヒータ４への通電率を可変するようにした点である。本実施例では、温度検出手段２の検出温度が高い場合には、低い場合に比べて通電率を高くしている。
【００２２】
図５に温水ヒータ４通電開始時に温水温度が高い場合、図６に温水ヒータ４通電開始時に温水温度が低い場合の温水ヒータ４表面温度の時間関係を示す。
【００２３】
ここで、温水ヒータ４通電開始時の通電率を固定した場合に、図５の点線で示すように、温水ヒータ４の通電開始時の温度検出手段２の検出値が比較的高い時には、不必要に温水沸き上げ時間がかかってしまのに対し、通電率を高くすることにより、実線で示すように、素早く設定温度に到達することができる。
【００２４】
逆に、温度検出手段２の検出値が比較的低い時には、図６の点線で示すように、低い通電率の後の通常の温度制御において、温水タンク１内の温水温度が設定温度に到達したときの温水ヒータ４の表面温度はある所定の温度Ｔを越てしまうが、通電率を低くすることにより、温水温度が設定温度に達すのに時間を要するものの、温水ヒータ４の表面温度上昇を緩和することができ、温水タンク１内部及びその周辺部材に熱的ストレスを軽減して、故障もしくは損傷を防止できる。
【００２５】
従って、温水ヒータ４通電開始時の温水温度に応じて、温水ヒータ４への通電開始時の温水ヒータ４への通電率を可変する制御手段を備えたので、いかなる状態、状況下においても確実に温水タンク１内の空焚きが検出でき、不必要に低い通電率で温水ヒータ４の通電を行うことなく温水の沸き上げ時間を短縮することができる。あるいは、温水タンク１内部及びその周辺部材への熱的ストレスを抑制し、故障もしくは損傷を防止することができる。
【００２６】
（実施例３）
次に、本発明の実施例３について図７、８を用いて説明を行う。実施例３において、実施例１と異なる点は、制御手段３を、温水ヒータ４通電開始時の温度検出手段２の検出値に応じて、温水ヒータ４への通電開始時の温水ヒータ４への通電率を１００％より低くする時間を可変するようにした点である。本実施例では、温度検出手段２の検出温度が高い場合には、低い場合に比べて時間を短くしている。
【００２７】
図７に温水ヒータ４通電開始時に温水温度が高い場合、図８に温水ヒータ４通電開始時に温水温度が低い場合の温水ヒータ４表面温度と時間関係を示す。
【００２８】
ここで、温水ヒータ４通電開始時の通電率を１００％より低くする時間を固定した場合に、図７の点線で示すように、温水ヒータ４の通電開始時の温度検出手段２の検出値が比較的高い時には、不必要に温水沸き上げ時間がかかってしまうのに対し、１００％より低い通電時間を短くすることにより、実線で示すように、素早く設定温度に到達することができる。
【００２９】
逆に、温度検出手段２の検出値が比較的低い時には図８の点線で示すように、低い通電率の後の通常の温度制御において、温水タンク１内の温水温度が設定温度に到達したときの温水ヒータ４の表面温度はある所定の温度Ｔを越え越えてしまうが、通電率を１００％より低くする時間を長くすることにより、実線で示すように温水温度が設定温度に達すのに時間を要するものの、温水ヒータ４の表面温度上昇を緩和することができ、温水タンク１内部及びその周辺部材に熱的ストレスを軽減して、故障もしくは損傷を防止できる。
【００３０】
従って、温水ヒータ４通電開始時の温水温度に応じて、温水ヒータ４への通電開始時の温水ヒータ４への通電率を１００％より低くする時間を可変することで、いかなる状態、状況下においても確実に温水タンク１内の空焚きが検出でき、不必要に低い通電率で温水ヒータ４の通電を行うことなく温水の沸き上げ時間を短縮することができる。あるいは、温水タンク１内部及びその周辺部材への熱的ストレスを抑制し、故障もしくは損傷を防止することができる。
【００３１】
（実施例４）
次に、本は発明の実施例４について図９〜１１を用いて説明を行う。
【００３２】
図９は、本発明の実施例３における衛生洗浄装置のブロック図である。実施例４において、実施例１と異なる点は、図９に示すように、衛生洗浄装置周囲の温度を検出する室温検出手段８を有し、制御手段３を、温水ヒータ４通電開始時の室温検出手段８の検出値に応じて、温水ヒータ４への通電開始時の温水ヒータ４への通電率を可変するようにした点である。本実施例では、室温検出手段８の検出温度が高い場合には、低い場合に比べて通電率を大きくしている。
【００３３】
図１０に温水ヒータ４通電開始時に衛生洗浄装置周辺の温度が高い場合、図１１に温水ヒータ４通電開始時に衛生洗浄装置周辺の温度が低い場合の温水ヒータ４表面温度の時間関係を示す。
【００３４】
ここで、温水ヒータ４の通電開始時に行う通電率を固定した場合、衛生洗浄装置周辺の温度が高い時には、図１０の点線で示すように、不必要に温水沸き上げ時間がかかってしまうのに対して、通電率を大きくすることにより、実線で示すように、短時間で設定温度とすることができる。
【００３５】
逆に、衛生洗浄装置周辺の温度が低い時には、温水ヒータ４や熱伝導手段７などの周辺部材も十分冷えており、温水ヒータ４の熱が熱伝導手段７を介して温度検出手段２に伝わり難いため、図１１の点線で示すように、低い通電率の後の通常の温度制御において、温水タンク１内の温水温度が設定温度に到達したときの温水ヒータ４の表面温度はある所定の温度Ｔを越え越えてしまうが、通電率を低くすることにより、実線で示すように温水温度が設定温度に達すのに時間を要するものの、温水ヒータ４の表面温度上昇を緩和することができ、温水タンク１内部及びその周辺部材に熱的ストレスを軽減して、故障もしくは損傷を防止できる。
【００３６】
従って、温水ヒータ４通電開始時の衛生洗浄装置の周辺温度に応じて、温水ヒータ４への通電開始時の温水ヒータ４への通電率を可変することで、いかなる状態、状況下においても確実に温水タンク１内の空焚きが検出でき、不必要に低い通電率で温水ヒータ４の通電を行うことなく温水の沸き上げ時間を短縮することができる。あるいは、温水タンク１内部及びその周辺部材への熱的ストレスを抑制し、故障もしくは損傷を防止することができる。
【００３７】
（実施例５）
次に、本は発明の実施例５について図１２〜１３を用いて説明を行う。
【００３８】
実施例４において、実施例４と異なる点は、制御手段３を、温水ヒータ４通電開始時の室温検出手段８の検出値に応じて、温水ヒータ４への通電開始時の温水ヒータ４への通電率を１００％より低くする時間を可変するようにした点である。本実施例では、室温検出手段８の検出温度が高い場合には、低い場合に比べて通電率を１００％より低くする時間を短くしている。
【００３９】
図１２に温水ヒータ４通電開始時に衛生洗浄装置周辺の温度が高い場合、図１３に温水ヒータ４通電開始時に衛生洗浄装置周辺の温度が低い場合の温水ヒータ４表面温度の時間関係を示す。
【００４０】
ここで、温水ヒータ４通電開始時に行う通電率を１００％より低くする時間を固定した場合、衛生洗浄装置周辺の温度が高い時には、図１２の点線で示すように、不必要に温水沸き上げ時間がかかってしまうのに対して、通電率を１００％より低くする時間を短くすることにより実線で示すように、短時間で設定温度とすることができる。
【００４１】
逆に、衛生洗浄装置周辺の温度が低い時には、温水ヒータ４や熱伝導手段７などの周辺部材も十分冷えており、温水ヒータ４の熱が熱伝導手段７を介して温度検出手段２に伝わり難いため、図１３の点線で示すように、低い通電率の後の通常の温度制御において、温水タンク１内の温水温度が設定温度に到達したときの温水ヒータ４の表面温度はある所定の温度Ｔを越え越えてしまうが、通電率を１００％より低くする時間を長くすることにより、実線で示すように温水温度が設定温度に達すのに時間を要するものの、温水ヒータ４の表面温度上昇を緩和することができ、温水タンク１内部及びその周辺部材に熱的ストレスを軽減して、故障もしくは損傷を防止できる。
【００４２】
従って、温水ヒータ４通電開始時の衛生洗浄装置の周辺温度に応じて、温水ヒータ４への通電開始時の温水ヒータ４への通電率を１００％より低くする時間を可変することで、いかなる状態、状況下においても確実に温水タンク１内の空焚きが検出でき、不必要に低い通電率で温水ヒータ４の通電を行うことなく温水の沸き上げ時間を短縮することができる。あるいは、温水タンク１内部及びその周辺部材への熱的ストレスを抑制し、故障もしくは損傷を防止することができる。
【００４３】
（実施例６）
図１４は、本発明の実施例４における衛生洗浄装置のブロック図である。
【００４４】
図１４に示すように、温水タンク１内の温水温度を複数設定できる温水温度設定手段９を有し、制御手段３は、温水温度設定手段９の設定が変化した場合に、所定の時間、温水ヒータ４への通電開始時の温水ヒータ４への通電率を１００％より低くするものである。
【００４５】
毎回、温水ヒータ４への通電開始時に通電率を１００％より低くすると、不必要に温水の沸き上げ時間が長くなってしまい使用者の使い勝手が悪くなる。
【００４６】
そこで、制御手段３において、温水タンク１内の温水温度設定が変えられたときにのみ、所定の時間、温水ヒータ４への通電率を１００％より低くすることで、不必要に低い通電率で温水ヒータ４の通電を行うことなく温水の沸き上げ時間を短縮することができると共に、いかなる状態、状況下においても確実に温水タンク１内の空焚きが検出できる。
【００４７】
（実施例７）
図１５は、本発明の実施例５における衛生洗浄装置のブロック図である。
【００４８】
図１５に示すように、温水ヒータ４の通電を切り設定にすることができる切り設定手段１０を有し、制御手段３は、切り設定手段１０の設定が切りから入りに変化した場合に、所定の時間、温水ヒータ４への通電開始時の温水ヒータ４への通電率を１００％より低くするものである。
【００４９】
昨今、省エネのニーズから、使用者の意思で温水ヒータ４への通電を行わない機能として、温水温度を切り設定にするものや所定の時間のみ温水ヒータ４への通電を行わないもの（例えば、１０間切りスイッチ）などがある。
【００５０】
実施例６と同様に、毎回、温水ヒータ４への通電開始時に通電率を１００％より低くすると、不必要に温水の沸き上げ時間が長くなってしまい使用者の使い勝手が悪くなる。
【００５１】
そこで、制御手段３において、切り設定手段１０の設定が切りから入りに変化したときにのみ、所定の時間、温水ヒータ４への通電率を１００％より低くすることで、不必要に低い通電率で温水ヒータ４の通電を行うことなく温水の沸き上げ時間を短縮することができると共に、いかなる状態、状況下においても確実に温水タンク１内の空焚きが検出できる。
【００５２】
（実施例８）
図１６は、本発明の実施例６における衛生洗浄装置のブロック図である。
【００５３】
図１６に示すように、衛生洗浄装置の異常を検出する異常検出手段１１を有し、制御手段３は、異常検出手段１１によって異常検知され温水ヒータへの通電を遮断した後に、異常が解除された場合に、所定の時間、温水ヒータ４への通電開始時の温水ヒータ４への通電率を１００％より低くするものである。
【００５４】
実施例６・７と同様に、毎回、温水ヒータ４への通電開始時に通電率を１００％より低くすると、不必要に温水の沸き上げ時間が長くなってしまい使用者の使い勝手が悪くなる。
【００５５】
そこで、制御手段３において、衛生洗浄装置の異常を異常検出手段１１で検出した後、衛生洗浄装置の異常が解除されたときに、所定の時間、温水ヒータ４への通電率を１００％より低くすることで、不必要に低い通電率で温水ヒータ４の通電を行うことなく温水の沸き上げ時間を短縮することができると共に、いかなる状態、状況下においても確実に温水タンク１内の空焚きが検出できる。
【００５６】
なお、実施例６〜８においては、通電率を１００％より低く制御するタイミングを、温水温度設定手段の設定が変化した場合と切り設定手段の設定が切りから入りに変化した場合と異常が解除された場合について個々に限定して説明したが、これらの条件を組み合わせることも可能であり、同様の効果を得ることが出来る。
【００５７】
【発明の効果】
以上のように、本発明によれば、所定の時間、温水ヒータへの通電開始時の温水ヒータへの通電率を１００％より低くすることにより、いかなる状態、状況下で温水タンク内が空水であったとしても、温水ヒータの熱を熱伝導手段を介して温度検出手段に伝えられるため、確実に温水ヒータへの通電を遮断することを可能とすることができると共に、所定の時間、温水ヒータへの通電率を１００％より低くすることで、温水ヒータの表面温度を下げられるため、温水ヒータの輻射熱による温水タンク内部及びその周辺部材の損傷を防止することができる。
【図面の簡単な説明】
【図１】  本発明の実施例１における衛生洗浄装置のブロック図
【図２】  本発明の実施例１における衛生洗浄装置の温水タンクユニットの部分断面図
【図３】  本発明の実施例１における通電率が１００％より低い通電を行う場合の温水ヒータ表面温度と時間を示す図
【図４】  本発明の実施例１における常に１００％で通電し続けた場合の温水ヒータ表面温度と時間を示す図
【図５】  本発明の実施例２における温水ヒータ通電開始時に温水温度が高い場合の温水ヒータ表面温度と時間を示す図
【図６】  本発明の実施例２における温水ヒータ通電開始時に温水温度が低い場合の温水ヒータ表面温度と時間を示す図
【図７】  本発明の実施例３における温水ヒータ通電開始時に温水温度が高い場合の温水ヒータ表面温度と時間を示す図
【図８】  本発明の実施例３における温水ヒータ通電開始時に温水温度が低い場合の温水ヒータ表面温度と時間を示す図
【図９】  本発明の実施例４における衛生洗浄装置のブロック図
【図１０】  本発明の実施例４における衛生洗浄装置周辺の温度が高い場合の温水ヒータ表面温度と時間を示す図
【図１１】  本発明の実施例４における衛生洗浄装置周辺の温度が低い場合の温水ヒータ表面温度と時間を示す図
【図１２】  本発明の実施例５における衛生洗浄装置周辺の温度が高い場合の温水ヒータ表面温度と時間を示す図
【図１３】  本発明の実施例５における衛生洗浄装置周辺の温度が低い場合の温水ヒータ表面温度と時間を示す図
【図１４】  本発明の実施例６における衛生洗浄装置のブロック図
【図１５】  本発明の実施例７における衛生洗浄装置のブロック図
【図１６】  本発明の実施例８における衛生洗浄装置のブロック図
【図１７】  従来の衛生洗浄装置の温水タンクユニット断面概略図
【符号の説明】
１  温水タンク
２  温度検出手段
３  制御手段
４  温水ヒータ
７  熱伝導手段
８  室温検出手段
９  温水温度設定手段
１０  切り設定手段
１１  異常検出手段
【図１】
0004000831.tif 000002
【図２】
0004000831.tif 000003
【図３】
0004000831.tif 000004
【図４】
0004000831.tif 000005
【図５】
0004000831.tif 000006
【図６】
0004000831.tif 000007
【図７】
0004000831.tif 000008
【図８】
0004000831.tif 000009
【図９】
0004000831.tif 000010
【図１０】
0004000831.tif 000011
【図１１】
0004000831.tif 000012
【図１２】
0004000831.tif 000013
【図１３】
0004000831.tif 000014
【図１４】
0004000831.tif 000015
【図１５】
0004000831.tif 000016
【図１６】
0004000831.tif 000017
【図１７】
0004000831.tif 000018